(57)【要約】【課題】空の育苗箱を機外に搬出するのが容易な乗用型田植機が要望されている。【解決手段】乗用型田植機には、走行機体１と、走行機体１の後部に連結され、苗を田面に植え付ける植付部７と、走行機体１の左右に夫々設けられ、予備のマット状苗１０が載置される予備苗載せ台９と、予備苗載せ台９の上方又は下方に前下がりに傾斜する状態で設けられ、マット状苗１０用の育苗箱１１を載置可能な載置台１２と、が備えられている。【選択図】図１
2020188710.tif 000002
【特許請求の範囲】
【請求項１】
走行機体と、
前記走行機体の後部に連結され、苗を田面に植え付ける植付部と、
前記走行機体の左右に夫々設けられ、予備のマット状苗が載置される予備苗載せ台と、
前記予備苗載せ台の上方又は下方に前下がりに傾斜する状態で設けられ、前記マット状苗用の育苗箱を載置可能な載置台と、が備えられている乗用型田植機。
【請求項２】
前記載置台は、前記予備苗載せ台の上方に設けられている請求項１に記載の乗用型田植機。
【請求項３】
前記載置台は、前記走行機体の左右に夫々設けられている請求項１又は２に記載の乗用型田植機。
【請求項４】
前記予備苗載せ台は、後下がりに傾斜する状態で設けられ、
前記予備苗載せ台の前後途中部に、前記マット状苗の後方への移動を阻止する阻止部が設けられている請求項１から３の何れか一項に記載の乗用型田植機。
【請求項５】
前記阻止部は、前記予備苗載せ台の載置面における上下の段差によって構成されている請求項４に記載の乗用型田植機。
【請求項６】
前記阻止部は、前記マット状苗の後方への移動を阻止する阻止状態と前記マット状苗の後方への移動を許容する許容状態とに状態変更可能に構成されている請求項４に記載の乗用型田植機。
【請求項７】
前記阻止部は、左右方向に沿って延びる回転軸心周りで回転可能な回転部材によって構成され、
前記回転部材は、前記回転軸心周りで回転することにより、前記許容状態と前記阻止状態とに状態変更可能に構成されている請求項６に記載の乗用型田植機。
【発明の詳細な説明】
【技術分野】
【０００１】
本発明は、乗用型田植機に関する。
【背景技術】
【０００２】
従来、乗用型田植機として、例えば、特許文献１に記載の乗用型田植機が知られている。特許文献１に記載の乗用型田植機には、走行機体と、走行機体の後部に連結され、苗を田面に植え付ける植付部（文献では「苗植付装置〔６〕」）と、走行機体の左右に夫々設けられ、予備のマット状苗が載置される予備苗載せ台（文献では「予備苗載せ台〔３０〕」）と、が備えられている。特許文献１に記載の乗用型田植機では、予備苗載せ台からマット状苗を取り出して植付部に補給することができる。
【先行技術文献】
【特許文献】
【０００３】
【特許文献１】特開２００９−２６１３６４号公報
【発明の概要】
【発明が解決しようとする課題】
【０００４】
特許文献１に記載の乗用型田植機では、マット状苗が取り出された後の育苗箱（空の育苗箱）を機外に運び出すのが面倒であり、この点の改善が望まれている。
【０００５】
上記状況に鑑み、空の育苗箱を機外に搬出するのが容易な乗用型田植機が要望されている。
【課題を解決するための手段】
【０００６】
本発明の特徴は、走行機体と、前記走行機体の後部に連結され、苗を田面に植え付ける植付部と、前記走行機体の左右に夫々設けられ、予備のマット状苗が載置される予備苗載せ台と、前記予備苗載せ台の上方又は下方に前下がりに傾斜する状態で設けられ、前記マット状苗用の育苗箱を載置可能な載置台と、が備えられていることにある。
【０００７】
本特徴構成によれば、空の育苗箱を載置台に載置すると、空の育苗箱が載置台の前下がりの傾斜に沿って前方に移動することになる。例えば、機体前部を畔に近付けた状態で空の育苗箱を載置台に載置すると、空の育苗箱が畔側に返送されることになる。これにより、空の育苗箱を機体前部から機外に容易に搬出することができる。
【０００８】
さらに、本発明において、前記載置台は、前記予備苗載せ台の上方に設けられていると好適である。
【０００９】
本特徴構成によれば、載置台の上方に予備苗載せ台が位置していないため、空の育苗箱を載置台に載置する際に予備苗載せ台が邪魔になり難い。
【００１０】
さらに、本発明において、前記載置台は、前記走行機体の左右に夫々設けられていると好適である。
【００１１】
本特徴構成によれば、左側の予備苗載せ台で発生した空の育苗箱を左側の載置台に移し替え、かつ、右側の予備苗載せ台で発生した空の育苗箱を左側の載置台に移し替えることにより、空の育苗箱を持ち運ぶ距離が短くなるため、空の育苗箱の移し替え作業を楽に行うことができる。
【００１２】
さらに、本発明において、前記予備苗載せ台は、後下がりに傾斜する状態で設けられ、前記予備苗載せ台の前後途中部に、前記マット状苗の後方への移動を阻止する阻止部が設けられていると好適である。
【００１３】
本特徴構成によれば、複数のマット状苗が前後に並ぶ状態で予備苗載せ台に載置されている場合において、複数のマット状苗を後側から順に取り取り出す際に、予備苗載せ台に残るマット状苗の後方への移動が阻止部によって阻止されることになる。これにより、予備苗載せ台からマット状苗を取り出して植付部に補給する際に、予備苗載せ台に残るマット状苗が後方に位置ズレするのを防止することができる。
【００１４】
さらに、本発明において、前記阻止部は、前記予備苗載せ台の載置面における上下の段差によって構成されていると好適である。
【００１５】
本特徴構成によれば、予備苗載せ台の載置面に上下の段差を設けるという簡単な構成によって、阻止部を容易に設けることができる。
【００１６】
さらに、本発明において、前記阻止部は、前記マット状苗の後方への移動を阻止する阻止状態と前記マット状苗の後方への移動を許容する許容状態とに状態変更可能に構成されていると好適である。
【００１７】
本特徴構成によれば、マット状苗を植付部に補給する際には、阻止部を阻止状態に状態変更することにより、予備苗載せ台に残るマット状苗の後方への位置ズレを防止することができる。また、マット状苗を予備苗載せ台に載置する際には、阻止部を許容状態に状態変更することにより、阻止部がマット状苗の後方への移動を阻害することがない。これにより、マット状苗を予備苗載せ台上で後方に移動させて、マット状苗を予備苗載せ台に載置する作業をスムーズに行うことができる。
【００１８】
さらに、本発明において、前記阻止部は、左右方向に沿って延びる回転軸心周りで回転可能な回転部材によって構成され、前記回転部材は、前記回転軸心周りで回転することにより、前記許容状態と前記阻止状態とに状態変更可能に構成されていると好適である。
【００１９】
本特徴構成によれば、回転部材を回転させるという簡単な操作によって、回転部材を許容状態と阻止状態とに容易に状態変更することができる。
【図面の簡単な説明】
【００２０】
【図１】乗用型田植機を示す左側面図である。
【図２】第一の別実施形態に係る予備苗載せ台を示す左側面図である。
【図３】第二の別実施形態に係る予備苗載せ台を示す左側面図である。
【図４】別実施形態に係る育苗箱を示す平面図である。
【発明を実施するための形態】
【００２１】
本発明を実施するための形態について、図面に基づき説明する。
【００２２】
〔乗用型田植機の全体構成〕
図１には、乗用型田植機を示している。本乗用型田植機には、走行機体１が備えられている。走行機体１には、左右一対の前輪２Ｆと、左右一対の後輪２Ｂと、が備えられている。走行機体１の前部には、原動部３が設けられている。原動部３には、エンジン（図示省略）と、当該エンジンを収容するボンネット４と、が備えられている。原動部３の後方には、運転部５が設けられている。運転部５には、運転座席６が備えられている。走行機体１の後部には、苗を田面に植え付ける植付部７が昇降可能に連結されている。植付部７には、マット状苗が載置される苗載せ台８と、苗載せ台８の下部から苗を取り出して田面に植え付ける植付装置（図示省略）と、が備えられている。走行機体１の前部における左右の夫々には、予備のマット状苗が載置される予備苗載せ台９が設けられている。
【００２３】
〔予備苗載せ台〕
予備苗載せ台９は、後下がりに傾斜する状態で設けられている。予備苗載せ台９には、マット状苗１０が入った育苗箱１１が載置されている。予備苗載せ台９は、複数（本実施形態では、四つ）の育苗箱１１が前後に並ぶ状態で載置可能に構成されている。予備苗載せ台９は、前後に折り畳み収納可能に構成されている。
【００２４】
予備苗載せ台９の後端部は、前後方向で運転座席６の近傍に位置している。予備苗載せ台９の後端部は、運転座席６の前端よりも後側に位置していてもよいし、運転座席６の後端よりも後側に位置していてもよい。
【００２５】
〔載置台〕
予備苗載せ台９の上方には、育苗箱１１を載置可能な載置台１２が前下がりに傾斜する状態で設けられている。載置台１２は、走行機体１の前部における左右の夫々において、予備苗載せ台９の上方に設けられている。すなわち、左側の予備苗載せ台９の上方に、左側の載置台１２が設けられ、かつ、右側の予備苗載せ台９の上方に、右側の載置台１２が設けられている。載置台１２は、複数（本実施形態では、四つ）の育苗箱１１が前後に並ぶ状態で載置可能に構成されている。載置台１２は、前後に折り畳み収納可能に構成されている。
【００２６】
載置台１２の後端部は、前後方向で運転座席６の近傍に位置している。載置台１２の後端部は、運転座席６の前端よりも後側に位置していてもよいし、運転座席６の後端よりも後側に位置していてもよい。
【００２７】
空の育苗箱１１を載置台１２に載置すると、空の育苗箱１１が載置台１２の前下がりの傾斜に沿って前方に移動することになる。例えば、機体前部を畔Ａに近付けた状態で空の育苗箱１１を載置台１２に載置すると、空の育苗箱１１が畔Ａ側に返送されることになる。これにより、空の育苗箱１１を機体前部から機外に容易に搬出することができる。
【００２８】
〔別実施形態〕
（１）図２及び図３に示すように、予備苗載せ台９の前後途中部に、マット状苗１０（育苗箱１１）の後方への移動を阻止する阻止部１３が設けられていてもよい。
【００２９】
この場合、図２に示すように、阻止部１３は、予備苗載せ台９の載置面Ｓにおける上下の段差１４によって構成されていてもよい。段差１４は、載置面Ｓにおける後側部分Ｓｂの高さが前側部分Ｓｆの高さよりも高い段差である。後側部分Ｓｂよりも前側に位置する育苗箱１１の後方への移動が段差１４よって阻止されることになる。
【００３０】
あるいは、図３に示すように、阻止部１３は、左右方向に沿って延びる回転軸心Ｘ周りで回転可能な回転部材１５によって構成されていてもよい。回転部材１５は、回転軸心Ｘ周りで回転することにより、育苗箱１１の後方への移動を阻止する阻止状態と育苗箱１１の後方への移動を許容する許容状態とに状態変更可能に構成されている。
【００３１】
（２）育苗箱１１として、図４に示す育苗箱１１を採用することもできる。図４に示すように、育苗箱１１における長手方向の両端部（前後両端部）には、夫々、長手方向中心側に向かって凹入する凹入部１１ａが形成されている。これにより、複数の育苗箱１１が前後に並ぶ状態で予備苗載せ台９に載置されている場合でも、凹入部１１ａに手を入れて育苗箱１１を容易に持つことができる。
【００３２】
（３）上記実施形態では、載置台１２は、前下がりに傾斜する状態で設けられている。しかし、載置台１２は、傾斜角度を変更可能なように、上下揺動可能に構成されていてもよい。
【００３３】
（４）上記実施形態では、載置台１２は、予備苗載せ台９の上方に設けられている。しかし、載置台１２は、予備苗載せ台９の下方に設けられていてもよい。
【００３４】
（５）上記実施形態では、載置台１２は、走行機体１の左右に夫々設けられている。しかし、載置台１２は、走行機体１の左右一方のみに設けられていてもよい。
【００３５】
（６）上記実施形態では、載置台１２は、前後に折り畳み可能に構成されている。しかし、載置台１２は、折り畳み不能に構成されていてもよい。
【００３６】
（７）上記実施形態では、載置台１２は、四つの育苗箱１１が前後に並ぶ状態で載置可能に構成されている。しかし、載置台１２は、二つ、三つ又は五つ以上の育苗箱１１が前後に並ぶ状態で載置可能に構成されていてもよい。また、載置台１２は、上下複数段設けられていてもよい。
【００３７】
（８）上記実施形態では、予備苗載せ台９は、後下がりに傾斜する状態で設けられている。しかし、予備苗載せ台９は、前後水平な状態で設けられていてもよい。
【００３８】
（９）上記実施形態では、予備苗載せ台９は、前後に折り畳み可能に構成されている。しかし、予備苗載せ台９は、折り畳み不能に構成されていてもよい。
【００３９】
（１０）予備苗載せ台９は、四つの育苗箱１１が前後に並ぶ状態で載置可能に構成されている。しかし、予備苗載せ台９は、二つ、三つ又は五つ以上の育苗箱１１が前後に並ぶ状態で載置可能に構成されていてもよい。あるいは、予備苗載せ台９は、一つの育苗箱１１が載置可能に構成されていてもよい。また、予備苗載せ台９は、上下複数段設けられていてもよい。
【００４０】
（１１）なお、本発明は、上記実施形態及び上記別実施形態に限定されるものではなく、その他種々の変更が可能である。また、矛盾が生じない限り、上記実施形態及び上記別実施形態に係る構成を組み合わせることも可能である。
【産業上の利用可能性】
【００４１】
本発明は、乗用型田植機に利用可能である。
【符号の説明】
【００４２】
１  走行機体
７  植付部
９  予備苗載せ台
１０  マット状苗
１１  育苗箱
１２  載置台
１３  阻止部
１４  段差
１５  回転部材
Ｓ  載置面
Ｘ  回転軸心
【図１】
2020188710.tif 000003
【図２】
2020188710.tif 000004
【図３】
2020188710.tif 000005
【図４】
2020188710.tif 000006